(57)【要約】【課題】締め付け精度を向上させたバッテリターミナルを提供する。【解決手段】バッテリターミナル１０、１０Ａ、１０Ｂは、バッテリポスト７０の周りを取り囲む有端環状の電極保持部１１と、電極保持部１１の両端から突出して互いに対向して配される一対の締付部１２Ｂ、１２Ａと、両締付部１２Ｂ、１２Ａと係合することにより、両締付部１２Ｂ、１２Ａを互いに接近させ、それに伴って電極保持部１１を縮径させてバッテリポスト７０に固定させる締付具６０とを備える。上側の締付部１２Ｂには、ナット６２と対向する受け面１８が形成される。受け面１８には、先端がナット６２を超える位置まで突出する形態であって、工具５０をナット６２に案内する案内部２４、２４Ａ、２４Ｂが形成されている。【選択図】図１
2010287462.tif 000002
【特許請求の範囲】
【請求項１】
バッテリポストの周りを取り囲む有端環状の電極保持部と、
前記電極保持部の両端から突出して互いに対向して配される一対の締付部と、
前記両締付部と係合することにより、前記両締付部を互いに接近させ、それに伴って前記電極保持部を縮径させて前記バッテリポストに固定させる締付具と、
前記両締付部のうちの一方の締付部に形成され、前記締付具を構成する部分のうちこの締付具に締付力を付与する工具と係合可能な締付部分が対向して配される受け面と、
前記受け面に突出して形成され、先端が前記締付部分を超える位置に配されて、前記工具を前記締付部分に案内する案内部とを備えることを特徴とするバッテリターミナル。
【請求項２】
前記案内部は、前記締付部分を挟んで少なくとも一対形成されていることを特徴とする請求項１記載のバッテリターミナル。
【請求項３】
前記一方の締付部における前記受け面とは反対側の面には、周方向で互いに隣り合う前記両案内部の基端間における切れ目と対応する位置に、前記両締付部が正規の締付位置まで締め付けられた場合に、他方の締付部と締め付け方向で当接するストッパが突出して形成されていることを特徴とする請求項２記載のバッテリターミナル。
【請求項４】
前記両締付部が正規の締付位置まで締め付けられた場合に、前記他方の締付部から突出する別のストッパが前記一方の締付部における前記案内部の基端と対応する位置に締め付け方向で当接することを特徴とする請求項３記載のバッテリターミナル。
【請求項５】
前記案内部の内面には先端に向けて拡開する誘い込み部が形成されていることを特徴とする請求項１ないし４のいずれか１項記載のバッテリターミナル。
【請求項６】
前記案内部の全体が先端に向けて拡開する形態とされていることを特徴とする請求項５記載のバッテリターミナル。
【請求項７】
前記案内部の内面は前記工具の外周に沿った円弧面とされていることを特徴とする１ないし６のいずれか１項記載のバッテリターミナル。
【発明の詳細な説明】
【技術分野】
【０００１】
本発明は、バッテリターミナルに関する。
【背景技術】
【０００２】
従来のバッテリターミナルが特許文献１に例示されている。この種のバッテリターミナルは、図８に示すように、バッテリポスト２を取り囲むように回曲される有端環状の電極保持部３と、電極保持部３の両端から突出して互いに対向して配される一対の締付部４とを備えている。両締付部４にはボルト５の軸部６が貫通し、さらにナット７が軸部６にねじ込まれることにより、両締付部４間の距離が縮まって電極保持部３が縮径され、これによってバッテリターミナルがバッテリポスト２に固定されるようになっている。
【先行技術文献】
【特許文献】
【０００３】
【特許文献１】特開２００７−１４１７２７公報
【発明の概要】
【発明が解決しようとする課題】
【０００４】
ところで、ボルト５を締め付けるにあたり、ナット７にインパクトレンチ等の工具８を宛がい、その状態でナット７をボルト５の軸周りに回転させてねじ込むようになっている。この場合、工具８の作用方向はボルト５の締付方向と同じ方向（図８（Ａ）の一点鎖線Ｘに沿う方向）を向いていることが必要とされ、そのような向きに工具８の姿勢を矯正することが求められる。しかし、図示するように、ボルト５の締付方向が垂直軸及び水平軸の両軸に対し斜めに傾いているような場合には、工具８の姿勢をボルト５の締付方向に合わせるのが難しく、バッテリターミナルの締め付けが不完全な状態のまま作業を終える可能性がある。
【０００５】
本発明は上記のような事情に基づいて完成されたものであって、締め付け精度を向上させたバッテリターミナルを提供することを目的とする。
【課題を解決するための手段】
【０００６】
上記の目的を達成するための手段として、請求項１の発明は、バッテリポストの周りを取り囲む有端環状の電極保持部と、前記電極保持部の両端から突出して互いに対向して配される一対の締付部と、前記両締付部と係合することにより、前記両締付部を互いに接近させ、それに伴って前記電極保持部を縮径させて前記バッテリポストに固定させる締付具と、前記両締付部のうちの一方の締付部に形成され、前記締付具を構成する部分のうちこの締付具に締付力を付与する工具と係合可能な締付部分が対向して配される受け面と、前記受け面に突出して形成され、先端が前記締付部分を超える位置に配されて、前記工具を前記締付部分に案内する案内部とを備えるところに特徴を有する。
【０００７】
請求項２の発明は、請求項１に記載のものにおいて、前記案内部は、前記締付部分を挟んで少なくとも一対形成されているところに特徴を有する。
【０００８】
請求項３の発明は、請求項２に記載のものにおいて、前記一方の締付部における前記受け面とは反対側の面には、周方向で互いに隣り合う前記両案内部の基端間における切れ目と対応する位置に、前記両締付部が正規の締付位置まで締め付けられた場合に、他方の締付部と締め付け方向で当接するストッパが突出して形成されているところに特徴を有する。
【０００９】
請求項４の発明は、請求項３に記載のものにおいて、前記両締付部が正規の締付位置まで締め付けられた場合に、前記他方の締付部から突出する別のストッパが前記一方の締付部における前記案内部の基端と対応する位置に締め付け方向で当接するところに特徴を有する。
【００１０】
請求項５の発明は、請求項１ないし４のいずれか１項に記載のものにおいて、前記案内部の内面には先端に向けて拡開する誘い込み部が形成されているところに特徴を有する。
【００１１】
請求項６の発明は、請求項５に記載のものにおいて、前記案内部の全体が先端に向けて拡開する形態とされているところに特徴を有する。
【００１２】
請求項７の発明は、請求項１ないし６のいずれか１項に記載のものにおいて、前記案内部の内面は前記工具の外周に沿った円弧面とされているところに特徴を有する。
【発明の効果】
【００１３】
＜請求項１の発明＞
バッテリターミナルを締め付けるにあたり、案内部に沿って工具を進入させることにより、締付具の締付部分に対して工具を適正な角度で作用させることができるため、締付具がその締付方向に沿って正しく両締付部と係合することができる。したがって、締め付け精度を向上させたバッテリターミナルが提供される。
【００１４】
＜請求項２の発明＞
案内部が締付部分を挟んで少なくとも一対形成されているため、工具の案内精度がより高められる。
【００１５】
＜請求項３の発明＞
両締付部が正規の締付位置まで締め付けられると、ストッパが他方の締付部と当接してそれ以上の締め付けが規制されるため、両締付部が過剰に締め付けられるのを回避できる。この場合、ストッパが両案内部の基端間における切れ目と対応する位置に形成されているから、バッテリターミナルを製造する際の材料取りが良好となり、かつ加工性に優れる。
【００１６】
＜請求項４の発明＞
両締付部が正規の締付位置まで締め付けられると、別のストッパが一方の締付部と当接するため、両締付部が過剰に締め付けられるのを確実に回避できる。この場合、別のストッパが一方の締付部における案内部の基端と対応する位置に当接するから、スペース効率が良好となる。
【００１７】
＜請求項５の発明＞
案内部の内面には先端に向けて拡開する誘い込み部が形成されているから、工具が誘い込み部の誘い込みによって締付部分に円滑に案内される。
【００１８】
＜請求項６の発明＞
案内部の全体が先端に向けて拡開する形態とされているから、誘い込みの許容度を向上させることができる。
【００１９】
＜請求項７の発明＞
案内部の内面が工具の外周に沿った円弧面とされているから、案内機能の信頼性が高められる。
【図面の簡単な説明】
【００２０】
【図１】実施形態１に係るバッテリターミナルの斜視図
【図２】締め付け前のバッテリターミナルの側面図
【図３】締め付けが完了した直後のバッテリターミナルの側面図
【図４】締め付け後のバッテリターミナルの側面図
【図５】実施形態２に係る締め付け前のバッテリターミナルの側面図
【図６】締め付けが完了した直後のバッテリターミナルの側面図
【図７】実施形態３に係る締め付け前のバッテリターミナルの側面図
【図８】従来のバッテリターミナルの締め付け手順をあらわす側面図
【発明を実施するための形態】
【００２１】
＜実施形態１＞
本発明の実施形態１を図１ないし図４によって説明する。実施形態１に係るバッテリターミナル１０は、電極保持部１１と、締付部１２と、締付具６０とを備え、電極保持部１１及び締付部１２は導電性の金属板を曲げ加工等して一体に成形されている。このバッテリターミナル１０は、バッテリポスト７０に電極保持部１１を外嵌させた状態で、締付具６０に工具５０を作用させることで、締付部１２が締め付けられ、これによってバッテリポスト７０に固定されるようになっている。
【００２２】
締付具６０は、図１に示すように、互いに螺合可能なボルト６１及びナット６２によって構成されている。ボルト６１は頭部６３及び軸部６４を有する周知の六角ボルト６１で、ナット６２は六角ナットであり、いずれも締付部１２と係合可能な大きさに形成されている。
【００２３】
電極保持部１１は、バッテリポスト７０に嵌合可能なＣ字形の有端環状をなし、径方向に撓み変形可能とされている。この電極保持部１１は、自然状態では内径が対応するバッテリポスト７０の外径よりも少し大きくされ、締め付けに伴って縮径されてバッテリポスト７０に密着される。
電極保持部１１には、その両端間とは反対側の上縁に、電線接続部１３が一体に連なって形成されている。電線接続部１３は、電極保持部１１から径方向外向きに延出する形態とされ、その先端部に、下向きに対向して突出する一対のかしめ片１４を有している。両かしめ片１４は電線９０の端末にて露出された撚り線からなる導体９１にかしめ付けられ、これによってバッテリターミナル１０が電線９０に電気的に接続されるようになっている。
【００２４】
締付部１２は、電極保持部１１の両端から対をなして突出する形態とされている。詳しくは、両締付部１２は、互いに平行に対向しつつ水平軸及び垂直軸の両軸に対して斜めに配される平板状の締付本体１５を有している。両締付本体１５には、図２に示すように、ボルト６１の軸部６４が貫通する挿通孔１６が同軸で形成されている。図示する場合、両締付本体１５のうちの下側の締付本体１５Ａの挿通孔１６にボルト６１の軸部６４を下方から通し、上側の締付本体１５Ｂの挿通孔１６から上方へ突き出る軸部６４の先端にナット６２が螺合するようになっている。
【００２５】
図４に示すように、下側の締付本体１５Ａの下面はボルト６１の頭部６３が対向して着座される座面１７とされ、上側の締付本体１５Ｂの上面はナット６２が対向して着座される受け面１８とされている。下側の締付本体１５Ａにおける相対向する二縁には、詳しくは上縁及び下縁には、同縁から略直角に屈曲して突出する第１、第２突片２１、２２が形成されている。このうち、下側の締付本体１５Ａの上縁に形成された第１突片２１は、座面１７側に折曲された形態であって、ボルト６１の頭部６３の外面と当接可能に配され、締め付けに伴って頭部６３が連れ回りするのを阻止する役割をはたす。一方、下側の締付本体１５Ａの下縁に形成された第２突片２２は、座面１７側とは反対側となる上側の締付本体１５Ｂ側に折曲された形態であって、締め付け完了時に上側の締付本体１５Ｂに下方から当接し、それ以上の締め付けを阻止する役割をはたす。
【００２６】
上側の締付本体１５Ｂにおける相対向する二縁には、詳しくは第１、第２突片２１、２２と異なる側縁で、かつ電極保持部１１との連結縁と反対側の側縁には、同縁から略直角に屈曲して突出する第３突片２３が形成されている。第３突片２３は、受け面１８とは反対側となる下側の締付本体１５Ａ側に折曲された形態であって、締め付け完了時に下側の締付本体１５Ａに上方から当接し、それ以上の締め付けを阻止する役割をはたす。つまり、第２、第３突片２２、２３はいずれも両締付部１２の過剰な締め付けを規制するストッパとして機能するものであり、互いに同じ突出寸法を有し、締め付け完了時にはその突出寸法の分だけ両締付本体１５間に隙間を保有させる。
【００２７】
さて、上側の締付本体１５Ｂにおける相対向する二縁には、詳しくは第３突片２３が位置する側縁とは異なる上縁及び下縁には、同縁から略直角に屈曲して突出する一対の案内部２４が形成されている。換言すれば、第３突片２３は、両案内部２４の基端間の切れ目の部分に配され、第２突片２２は、下側の案内部２４の基端と対応する位置に当接可能に配されている。
【００２８】
両案内部２４は、第３突片２３の突出方向とは反対側となる受け面１８側に折曲されて突出する断面湾曲状の形態であって、ナット６２を挟んだ両側に距離をあけつつ受け面１８の外周縁に対称に配されている。両案内部２４の内面は、図１に示すように、インパクトレンチ等の工具５０の先端部に形成された円筒状の係合筒部５１の外周面に沿った円弧面２５とされている。両案内部２４の円弧面２５とナット６２の外面との間には、係合筒部５１が嵌合状態で進入する嵌合空間２６が保有されている。嵌合空間２６の隙間寸法は、係合筒部５１の厚みと同じか、極僅かに大きい程度とされている。
【００２９】
また、両案内部２４の先端（突出端）は受け面１８に着座されたナット６２の上端面を超える位置に至るものであって、両案内部２４の突出寸法はナット６２の長さの１．５倍以上とされている。さらに、両案内部２４の内面の先端部には、先端に向けて拡開するテーパ状の誘い込み部２７が形成されている。工具５０の係合筒部５１は誘い込み部２７によってナット６２が位置する側に誘導されるようになっている。
【００３０】
次に、本実施形態に係るバッテリターミナル１０の締め付け方法及び作用効果を説明する。
図２に示すように、上側の締付部１２Ｂに対して工具５０の係合筒部５１を斜め上方から正対させ、その状態で工具５０の係合筒部５１をナット６２側に近づける。このとき、係合筒部５１は、ナット６２と係合するのに先立って、その外面が案内部２４の内面に沿って摺接し、これによって工具５０の姿勢が正規の締め付け姿勢に立て直される。こうして姿勢矯正された係合筒部５１がナット６２に係合し、その状態で工具５０の作動によってナット６２が回転することにより、ナット６２がボルト６１の軸部６４にねじ込まれる。このとき、係合筒部５１の外周面が両案内部２４の円弧面２５を摺接可能とされている。
【００３１】
ナット６２のねじ込みに伴い、ナット６２から受け面１８に押圧力が付与され、上側の締付部１２Ｂが下側の締付部１２Ａ側に漸次近づくように変位する。また、かかる上側及び下側の両締付部１２Ｂ、１２Ａの接近により電極保持部１１の両端間の距離が縮まって、電極保持部１１が縮径変形される。
こうしてナット６２及びボルト６１が正規の締め付け位置まで締め付けられると、図３に示すように、係合筒部５１の下端面が受け面１８と当接して係合筒部５１の全体が嵌合空間２６内にすっぽりと収容されるとともに、第２、第３突片２２、２３の先端がそれぞれ上側及び下側の両締付部１２Ｂ、１２Ａに当接して、両締付部１２Ｂ、１２Ａがそれ以上近づく向きに変位するのを阻止する。また、電極保持部１１がバッテリポスト７０に周方向から緊密に密着されて、バッテリターミナル１０がバッテリポスト７０に固定される。
【００３２】
以上説明したように、本実施形態によれば、バッテリターミナル１０の締め付けにあたり、案内部２４に沿って工具５０を進入させることにより、締付具６０のナット６２に対して工具５０を適正な角度で作用させることができるため、ナット６２がその締付方向に沿って正しく変位して上側の両締付部１２Ｂを押圧することができる。したがって、締め付け精度を向上させたバッテリターミナル１０が提供される。
【００３３】
また、案内部２４がナット６２を挟んだ両側に一対形成されているため、工具５０の案内精度がより高められる。
また、両締付部１２Ｂ、１２Ａが正規の締付位置まで締め付けられると、第２突片２２の先端が上側の締付部１２Ｂと締め付け方向で当接するとともに、第３突片２３の先端が下側の締付部１２Ａと締め付け方向で当接することで、上側及び下側の両締付部１２Ｂ、１２Ａのそれ以上の相対変位を規制するため、両締付部１２Ｂ、１２Ａが過剰に締め付けられるのを確実に回避できる。この場合、第３突片２３が両案内部２４の基端間における切れ目と対応する位置に形成されているから、バッテリターミナル１０を製造する際の材料取りが良好となり、かつ加工性に優れる。また、第２突片２２が上側の締付部１２Ｂにおける案内部２４の基端と対応する位置に当接するから、スペース効率に優れる。
【００３４】
さらに、案内部２４の内面には先端に向けて拡開する誘い込み部２７が形成されているから、工具５０が誘い込み部２７の誘い込みによってナット６２に円滑に案内される。
さらにまた、案内部２４の内面が工具５０の係合筒部５１の外周面に沿った円弧面２５とされているから、案内機能の信頼性が高められる。
【００３５】
＜実施形態２＞
次に、本発明の実施形態２を図５及び図６によって説明する。実施形態２に係るバッテリターミナル１０Ａは、両案内部２４Ａの形態が実施形態１とは異なる。その他は、実施形態１と同様であり、実施形態１と同一の部分又は同様の部分については同一符号を付し、重複する説明は省略する。
【００３６】
両案内部２４Ａは、上側の締付部１２Ｂにおける受け面１８の上下両縁に基端を連結させ、そこから斜め上方に延びる断面湾曲状をなし、その基端から先端にかけて全長に亘って拡開する形態とされている。両案内部２４Ａの基端における内面間の径寸法は係合筒部５１の外径とほぼ同じとされるが、両案内部２４Ａの先端における内面間の径寸法Ｑは係合筒部５１の外径よりも大きくされている。端的には、嵌合空間２６が両案内部２４Ａの基端から先端にかけて拡がる形態とされている。また、両案内部２４Ａは、全長に亘って一定厚みとされ、実施形態１と違って、先端部のみに誘い込み部が形成されているわけではなく、その全体が誘い込み部として機能する。
【００３７】
実施形態２によれば、両案内部２４Ａの先端間の間口寸法が基端間の間口寸法に比べて相当に大きくされているため、ナット６２に工具５０を係合させるにあたり、工具５０の締め付け姿勢のずれ量が大きくても、これを正規の締め付け姿勢に容易に矯正することができ、誘い込みの許容度が高められる。
【００３８】
＜実施形態３＞
図７は、本発明の実施形態３を示す。実施形態３に係るバッテリターミナル１０Ｂでは、実施形態１、２と異なり、工具５０をナット６２に誘い込むための誘い込み部が形成されていない。つまり、両案内部２４Ｂの内面間の径寸法Ｒは、全長に亘って一定であって、工具５０の係合筒部５１の外径と同じか、極僅かに大きい程度とされている。その他は、実施形態１と同様である。
【００３９】
＜他の実施形態＞
本発明は上記記述及び図面によって説明した実施形態に限定されるものではなく、例えば次のような実施形態も本発明の技術的範囲に含まれる。
（１）両締付部は、垂直軸及び水平軸の両軸のいずれかに平行に配されていてもよい。
（２）締付部の受け面とナットとの間にワッシャが介挿されていてもよい。
（３）締付具における工具と係合可能な締付部分はボルトの頭部であってもよい。
（４）案内部は、締付部の受け面に３つ以上形成されるものであってもよい。
（５）案内部は、締付部の受け面に１つだけ形成されるものであってもよい。
【符号の説明】
【００４０】
１０、１０Ａ、１０Ｂ…バッテリターミナル
１１…電極保持部
１２…締付部
１２Ａ…下側の締付部（他方の締付部）
１２Ｂ…上側の締付部（一方の締付部）
１８…受け面
２２…第２突片（別のストッパ）
２３…第３突片（ストッパ）
２４、２４Ａ、２４Ｂ…案内部
２５…円弧面
２７…誘い込み部
５０…工具
６０…締付具
６２…ナット（締付部分）
７０…バッテリポスト
【図１】
2010287462.tif 000003
【図２】
2010287462.tif 000004
【図３】
2010287462.tif 000005
【図４】
2010287462.tif 000006
【図５】
2010287462.tif 000007
【図６】
2010287462.tif 000008
【図７】
2010287462.tif 000009
【図８】
2010287462.tif 000010